(57)【要約】【課題】  部品点数が少なく、組立が容易な空気清浄器を提供することを目的とする。【解決手段】  この発明に係る空気清浄器は、放電電極と帯電部の接地電極との間に高電圧を印加して気中放電を発生させることで空気中の浮遊粉塵を帯電させる帯電部と、高電圧が印加される集塵部高電圧電極と集塵部の接地電極とが互い違いに配置され、帯電部で帯電した浮遊粉塵を捕集する集塵部と、格子状の空気取入口を有し、帯電部と集塵部とが取り付けられる枠とを備えたことを特徴とする。【選択図】        図３
2006046725.tif 000002
【特許請求の範囲】
【請求項１】
放電電極と帯電部の接地電極との間に高電圧を印加して気中放電を発生させることで空気中の浮遊粉塵を帯電させる帯電部と、
高電圧が印加される集塵部高電圧電極と集塵部の接地電極とが互い違いに配置され、前記帯電部で帯電した浮遊粉塵を捕集する集塵部と、
格子状の空気取入口を有し、前記帯電部と前記集塵部とが取り付けられる枠と、
を備えたことを特徴とする空気清浄器。
【請求項２】
前記枠を内側、外側とに分離して内側に通風路を形成する仕切部を設け、この仕切部の前記通風路側に前記集塵部の接地電極を取付け、この集塵部の接地電極に接しないように、前記集塵部高電圧電極が前記仕切部の外側に取り付けられることを特徴とする請求項１記載の空気清浄器。
【請求項３】
前記枠を内側、外側とに分離して内側に通風路を形成する仕切部を設け、前記放電電極は両端部に固定部を有し、この放電電極の固定部を前記仕切部と前記集塵部高電圧電極とで挟み込むように取り付けたことを特徴とする請求項１又は請求項２記載の空気清浄器。
【請求項４】
前記放電電極の固定部は、折り曲げられたことを特徴とする請求項３記載の空気清浄器。
【請求項５】
前記放電電極の固定部は、前記枠の仕切部に対し角度を付けて折り曲げられたことを特徴とする請求項４記載の空気清浄器。
【請求項６】
前記枠を内側、外側とに分離して内側に通風路を形成する仕切部を設け、この仕切部に前記接地電極固定部を設けることで前記接地電極の位置決め及び固定を行うことを特徴とする請求項１乃至５のいずれかに記載の空気清浄器。
【請求項７】
前記集塵部高電圧電極に前記放電電極の位置を規制する放電電極位置規制部を設けたことを特徴とする請求項１乃至６のいずれかに記載の空気清浄器。
【請求項８】
前記帯電部の接地電極と前記集塵部の接地電極の少なくともいずれか一方を、表面抵抗値が１０４Ω以下の導電性樹脂により成型したことを特徴とする請求項１乃至７のいずれかに記載の空気清浄器。
【請求項９】
端子部品を有する高電圧電源部を備え、前記帯電部の接地電極と前記集塵部の接地電極の中で導電性樹脂により成型されるものは、前記高電圧電源部の端子部品に接触する端子部品を板金による別部材としたことを特徴とする請求項８記載の空気清浄器。
【請求項１０】
前記枠の上流にプレフィルタを用いたことを特徴とする請求項１乃至９のいずれかに記載の空気清浄器。
【請求項１１】
前記枠は前記プレフィルタの位置決めを行う凹部を備え、前記プレフィルタは前記枠の凹部で位置決めされると共に、集塵部高電圧電極により固定されることを特徴とする請求項１０記載の空気清浄器。
【請求項１２】
吸込口と吹出口の間に通風路を有する箱体と、
前記通風路に設けられ、放電電極と帯電部の接地電極との間に高電圧を印加して気中放電を発生させることで空気中の浮遊粉塵を帯電させる帯電部と、高電圧が印加される集塵部高電圧電極と集塵部の接地電極とが互い違いに配置され、前記帯電部で帯電した浮遊粉塵を捕集する集塵部と、格子状の空気取入口を有し、前記帯電部と前記集塵部とが取り付けられる枠とを有する空気清浄器と、
を備えたことを特徴とする空気清浄装置。
【請求項１３】
吸込口と、この吸込口の下流に熱交換器と、空気の流れを生じさせる送風機と、吹出口とを有し、前記吸込口から前記吹出口までの間が通風路となる空気調和機において、
前記通風路に、放電電極と帯電部の接地電極との間に高電圧を印加して気中放電を発生させることで空気中の浮遊粉塵を帯電させる帯電部と、高電圧が印加される集塵部高電圧電極と集塵部の接地電極とが互い違いに配置され、前記帯電部で帯電した浮遊粉塵を捕集する集塵部と、格子状の空気取入口を有し、前記帯電部と前記集塵部とが取り付けられる枠とを有する空気清浄器を備えたことを特徴とする空気調和機。
【発明の詳細な説明】
【技術分野】
【０００１】
この発明は、空気清浄器及びそれを用いた空気清浄装置及び空気清浄器を備えた空気調和機に関するものである。
【背景技術】
【０００２】
近年、建物内や車両内の空気を常に清浄化された状態に維持するために空気清浄装置が広く使用されている。空気清浄装置は産業用の大型装置から家庭用の小型の装置まで種々のタイプがあり、空気清浄装置単独で用いたり、空気調和機の内部に装着されたりしている。
【０００３】
近年普及している空気清浄装置は、気流中の微粒子に対してコロナ放電等により電荷を与え、この荷電粒子が電界中を通過する間に静電力により荷電粒子を集塵して除去するもので、静電集塵装置と言えるものである。
【０００４】
従来の空気清浄装置は、例えば格子状の空気取入口を有するアッパーフレームと、荷電部及び集塵部を固定するロアーフレームとにより構成された箱体の中に帯電部と集塵部を備えている（例えば、特許文献１参照）。
【特許文献１】特開２００１−２７６６４９号公報
【発明の開示】
【発明が解決しようとする課題】
【０００５】
従来の空気清浄装置は、格子状の空気取入口を有するアッパーフレームと、荷電部及び集塵部を固定するロアーフレームとにより構成された箱体の中に帯電部と集塵部を備えているので、部品点数が多くなり、構成部品コスト及び組立費が増加するという問題点があった。
【０００６】
また、他の従来の空気清浄装置では、荷電部が枠等配置されたリブにより位置決め及び固定されているものがあるが、これでは組立及び分解する際に作業性が悪化し、組立費増加、リサイクル時分別の作業性が悪化するという問題があった。
【０００７】
この発明は、上記のよう問題点を解決するためになされたもので、部品点数が少なく、組立が容易な空気清浄器及びそれを用いた空気清浄装置及び空気清浄器を組み込んだ空気調和機を提供することを目的とする。
【課題を解決するための手段】
【０００８】
この発明に係る空気清浄器は、放電電極と帯電部の接地電極との間に高電圧を印加して気中放電を発生させることで空気中の浮遊粉塵を帯電させる帯電部と、高電圧が印加される集塵部高電圧電極と集塵部の接地電極とが互い違いに配置され、帯電部で帯電した浮遊粉塵を捕集する集塵部と、格子状の空気取入口を有し、帯電部と集塵部とが取り付けられる枠とを備えたことを特徴とする。
【発明の効果】
【０００９】
この発明に係る空気清浄器は、上記構成により、部品点数が少なく、組立が容易な空気清浄器が得られる。
【発明を実施するための最良の形態】
【００１０】
実施の形態１．
図１〜１８は実施の形態１を示す図で、図１はプレフィルタを閉じた状態の空気清浄器の斜視図、図２はプレフィルタを開いた状態の空気清浄器の斜視図、図３は空気清浄器の分解斜視図、図４はプレフィルタの正面図、図５は枠の正面図、図６は枠の背面斜視図、図７は枠の側面断面図、図８は放電電極の正面図、図９は枠に放電電極を取り付けた状態の背面斜視図、図１０は枠に放電電極を取り付けた状態の背面斜視図、図１１は枠に放電電極を取り付けた状態の側面断面図、図１２は接地電極の正面図、図１３は枠に接地電極を取り付けた状態の側面断面図、図１４は半絶縁樹脂の正面図、図１５は枠に放電電極及び半絶縁樹脂を取り付けた状態の側面断面図、図１６は枠に放電電極及び接地電極及び半絶縁樹脂を取り付けた状態の側面断面図、図１７は空気清浄器の原理図、図１８はプレフィルタの枠への固定方法を示す斜視図である。
【００１１】
図１、図２の空気清浄器の斜視図に示すように、空気清浄器１は、格子状の空気取入口を有する枠３の上流側（外側）にプレフィルタ２を有し、詳細は後述するが、放電電極４を有する帯電部及び集塵部が枠３の内部に収納されている。図を見やすくするために、接地電極と半絶縁樹脂は省略している。プレフィルタ２は、枠３に開閉自在に取り付けられている。これは、集塵部を水で洗浄する場合に、プレフィルタ２がない方が、洗浄しやすくなるためである。
【００１２】
図３の空気清浄器の分解斜視図に示すように、空気清浄器１は、格子状の空気取入口を有する枠３の上流側（外側）にプレフィルタ２を有し、枠３の内部には放電電極４と接地電極５とで構成される帯電部１０と、半絶縁樹脂６（集塵部高電圧電極）と接地電極５とで構成され、半絶縁樹脂６と接地電極５とが交互に配置される集塵部１１が収納される。接地電極５には、図示しない高電圧電源部の端子部品と接触する端子７が取り付けられている。
【００１３】
以下、各構成部品を説明する。
図４はプレフィルタを示す正面図であり、プレフィルタ２は枠３の上流側に取り付けられて、大きな綿埃等のゴミを捕集し、帯電部１０への埃の侵入を抑制する。プレフィルタ２の材質は、例えば枠がＰＰ（ポリプロピレン）樹脂、フィルタがＰＥ（ポリエチレン）樹脂である。
【００１４】
図５は枠の正面図、図６は枠の背面斜視図、図７は枠の側面断面図であるが、枠３は格子状の空気取入口を有する。格子は例えば５ｍｍ以下で、人の指が高電圧が印加される帯電部１０の放電電極４に触れないような大きさにしている。枠３には放電電極４の位置決めを行う凹部２０ａ、２０ｂ、２０ｃがそれぞれ長手方向に複数設けられている。また、枠３の両端部近傍には、長手方向に延びて形成され、内側に通風路を形成する仕切部となるリブ２１が両側に形成されている。
【００１５】
リブ２１には、接地電極５の位置決め及び固定を行う突起２２ａ、２３ａ及び突起２２ｂ、２３ｂが両端のそれぞれのリブ２１に形成されている。リブ２１の外側には、それぞれ集塵部１１の高電圧が印加される半絶縁樹脂６の位置決め及び固定を行う突起部２４ａ、２４ｂがそれぞれ設けられている。枠３の材質は、例えば難燃性のＡＢＳ（アクリロニトロ・ブタジエン・スチレン）樹脂を使用している。
【００１６】
図８は放電電極の正面図であり、放電電極４は図に示すように、全体が横長な四角形の形状で、中央に長手方向に延びる長辺を有し、全部で３つの長辺を有する。各長辺からは、通風路に直交する方向に、先端が鋭角な電極が形成されている。両端部の長辺は内側の片方に、中央の長辺は両側に先端が鋭角な電極が形成されている。放電電極４の材質は板金で、具体的には、例えばステンレス（ＳＵＳ３０４）を使用している。
【００１７】
図９、１０に示すように、放電電極４は横長な四角形の３つの長辺が、枠３の凹部２０ａ、２０ｂ、２０ｃにそれぞれ位置決めされる。そして、図１１に示すように、横長な四角形の外側の二つの長辺の近傍に、枠３のリブ２１と係合する折り曲げ部（固定部）を有する。この折り曲げ部を、リブ２１と半絶縁樹脂６とで挟み込むことで放電電極４は固定されるが、この点については後で説明する。
【００１８】
図１２は接地電極の正面図であるが、接地電極５は、帯電部の接地電極５１と、集塵部の接地電極５２とを有し、この例では帯電部の接地電極５１と集塵部の接地電極５２とが一体の構成である。接地電極５の材質は、例えばＡＢＳ樹脂に炭素繊維やカーボンブラックを加えた導電性樹脂を使用している。この導電性樹脂は、表面抵抗値が１０４Ω以下のものである。
上記の例では帯電部の接地電極５１と集塵部の接地電極５２とが一体の構成のものを示したが、一体でなくてもよい。また、例えば、帯電部の接地電極５１を板金で、集塵部の接地電極５２を上記の導電性樹脂で別々に構成してもよい。
【００１９】
図１３に示すように、接地電極５は、枠３の両側のリブ２１の間に取り付けられる。リブ２１に形成された突起２２ａ、２３ａ及び突起２２ｂ、２３ｂにより接地電極５の位置決め及び固定がなされる。
【００２０】
図１４は半絶縁樹脂の正面図である。半絶縁樹脂６は集塵部高電圧電極として機能するが、図に示すように、正面から見て長手方向に直交するように配置された高電圧電極が長手方向に多数設けられている。その材質は、ＡＢＳ樹脂に親水性ポリマーを加えたものである。表面抵抗値は１０１０〜１３Ωである。
【００２１】
図１５は枠に放電電極及び半絶縁樹脂を取り付けた状態の側面断面図である。図に示すように、半絶縁樹脂６は枠３リブ２１のそれぞれの外側に形成された突起部２４ａ、２４ｂにより位置決め及び固定がなされる。また、半絶縁樹脂６には放電電極４の位置を規制するリブ６ａ（放電電極位置規制部）を設けている。
【００２２】
図１６は枠に放電電極及び接地電極及び半絶縁樹脂を取り付けた状態の側面断面図である。詳細は後述するが、放電電極４を半絶縁樹脂６と枠３のリブ２１とで挟み込んで固定している。
【００２３】
次に、動作を説明する。
図１７の空気清浄器の原理図に示すように、先ず帯電部１０において、放電電極４と接地電極５（帯電部の接地電極５１）との間に６ｋｖの高電圧を印加してコロナ放電を発生させ、枠３の格子状の空気取入口より流入した浮遊粉塵を帯電させる。そして、接地電極５（集塵部の接地電極５２）と半絶縁樹脂６に生じた静電界により帯電した粒子は、６ｋｖの高電圧を印加した半絶縁樹脂６側で反発し、接地に落とした接地電極５に吸引され、効率良く浮遊粉塵を接地電極５に集塵することができる。
【００２４】
接地電極５に集塵された浮遊粉塵は、必要に応じてユーザが空気清浄器１に水をかけて洗い流す。このとき、既に述べたように、開閉自在なプレフィルタ２を開いておくと洗浄しやすい。
【００２５】
枠３の空気取入口を大きさが５ｍｍ以下の格子状にすることによって、人の指が高電圧印加中の帯電部１０の放電電極４に触れないようにし、人の感電を防ぐことができ、かつ放電電極４に触れないために、外的要因（人の指等の接触）による放電電極４の形状変形を防止し、形状変形に伴う集塵性能の低下、発火、騒音につながる異常放電の発生を抑制することができる。
【００２６】
空気清浄器１の帯電部１０、集塵部１１が格子状の空気取入口を有する枠３のみに取付けられていることにより、少ない部品で空気清浄器１を構成することができため材料費の低減、組立加工費の低減が可能になり安価で高性能の空気清浄器１を得ることができる。
【００２７】
格子状の空気取入口を有する枠３を内側、外側とに分離するリブ２１（仕切部）を設け、このリブ２１の内側に接地電極５を取付け、この接地電極５に接しないように、集塵部高電圧電極として機能する半絶縁樹脂６がその外側に取付けられることで集塵部１１の電極間に静電場を生じることができ、半絶縁樹脂６による帯電粒子の斥力と接地電極５の引力により効率良く浮遊粉塵を捕集することができる。
【００２８】
格子状の空気取入口を有する枠３を内側、外側とに分離するリブ２１（仕切部）を設け、このリブ２１の外側に放電電極４の折り曲げ部を配置し、この放電電極４を集塵部１１の半絶縁樹脂６と格子状の空気取入口を有する枠３のリブ２１とで挟み込むように取付けることで、放電電極４は枠３に設けられたリブ等に固定するのではなく、格子状の空気取入口を有する枠３により規制された場所にはめ、集塵部１１の半絶縁樹脂６により位置決め及び固定され、放電電極４と接することで集塵部１１の半絶縁樹脂６に高電圧を印加することができる。
【００２９】
格子状の空気取入口を有する枠３を内側、外側とに分離するリブ２１（仕切部）を設け、このリブ２１の外側に放電電極４の折り曲げ部を配置し、この放電電極４の折り曲げ部を半絶縁樹脂６と格子状の空気取入口を有する枠３のリブ２１とで挟み込むように取付けることのできる構造において、取付け方向面に平行に折り曲げた場合に生じる半絶縁樹脂６と放電電極４の折り曲げ部との接触による組立難さを、取付け方向面に対し角度を付け放電電極４を折り曲げることによって、組立が容易になるだけでなく、確実に放電電極４と半絶縁樹脂６が接することができ、接触不足による集塵能力低下を抑制することができる。
【００３０】
格子状の空気取入口を有する枠３を内側、外側とに分離するリブ２１（仕切部）を両端部に設け、それぞれのリブ２１に突起２２ａ、２３ａ及び突起２２ｂ、２３ｂ（接地電極固定部）を設けることで接地電極５の位置決め及び固定を行うことに加え容易に組立、分解が可能になるため、組立加工費の低減及び、リサイクル時の材料分別が容易に行うことができる。
【００３１】
半絶縁樹脂６に放電電極４の位置を規制するリブ６ａを付けたことにより放電電極４と接地電極５の距離が近付きすぎることがなく、異常な放電による発火、騒音の発生を抑制することができる。
【００３２】
帯電部１０と集塵部１１の接地電極５は、表面抵抗値が１０４Ω以下の導電性樹脂（ＡＢＳ樹脂に炭素繊維やカーボンブラックを加えたもの）により成型されたことにより、複雑な構造部品ができることのみならず、帯電部の接地電極５１と集塵部の接地電極５２を一体に成型することが可能になり部品点数が少なくなり結果、容易に組立、分解が可能になるため、組立加工費の低減及び、リサイクル時の材料分別が容易に行うことができる。
【００３３】
帯電部１０と集塵部１１の接地電極５は、図示しない高電圧電源部の端子部品と接触する端子部品に板金で形成された別部品の端子７を用い、接地電極５と接するように取り付けられることで、高電圧電源部の端子部品と接触する接地電極５の樹脂の削れをなくし、端子間の経年変化による接触状態の変化を抑制し、集塵性能の低下、微妙な接地面で生じる火花放電による発火や騒音を抑制することができる。
【００３４】
浮遊粉塵を帯電させる帯電部１０と、帯電した浮遊粉塵を集塵する集塵部１１と、それらを固定する枠３の上流に大きな綿埃等のゴミを捕集することのできるプレフィルタ２とを用いることで、帯電部１０への埃の侵入を防止し、帯電部１０に流入した埃の放電による発火、騒音などの異常な状態を抑制することができる。
【００３５】
図１８に示すように、大きな綿埃等のゴミを捕集することのできるプレフィルタ２は、枠３の凹部３ｂで位置決めを行い、半絶縁樹脂６に挟み込むように固定することで、容易に組立、及び分解が可能になるため、組立加工費の低減及び、リサイクル時の材料分別が容易に行うことができる。
【００３６】
以上のように、上記実施の形態によれば、空気清浄器１は、格子状の空気取入口を有する枠３に内側、外側とに分離するリブ２１を両端部に設け、このリブ２１の内側に接地電極５を取付け、この接地電極５に接しないように、集塵部高電圧電極の半絶縁樹脂６がその外側に取付けられることで集塵部１１の電極間に静電場を生じさせ浮遊粉塵を捕集する機構を少ない部品で構成され、帯電部１０の放電電極４を半絶縁樹脂６と格子状の空気取入口を有する枠３のリブ２１を挟み込むように取付けることで、放電電極４は枠３に設けられたリブ等に固定するのではなく、格子状の空気取入口を有する枠３により規制される箇所にはめ込み、半絶縁樹脂６により位置決め及び固定することで、放電電極４と接し半絶縁樹脂６に高電圧を印加することができるという部品点数が少なく、組立が容易かつ、電極間が正確な距離関係になるようにすることができる効果が得られる。
【００３７】
実施の形態２．
上記実施の形態１では、空気清浄器について説明したが、次に上記空気清浄器を吸込口３１と吹出口３２を有する箱体３０に取り入れた空気清浄装置について説明する。
【００３８】
図１９は実施の形態２を示す図で、空気清浄装置の断面図である。図において、空気清浄装置５０は、箱体３０の吸込口３１と吹出口３２からなる通風路３３の内部に空気清浄器１が配置されている。通風路３３に送風を行う送風機は、空気清浄装置５０の内部に配置してもよいし、外部に配置してもよい。
【００３９】
次に動作について説明する。
箱体３０に実施の形態１の空気清浄器１を配置するようにしているので、吸込口３１から流入した空気は、通風路３３から空気清浄器１を通過し、吹出口３２より浮遊粉塵量の少ない空気を送り出す空気清浄装置５０を得ることができる。
【００４０】
実施の形態３．
上記実施の形態１の空気清浄器１を壁掛け形空気調和機に組み込む実施の形態を説明する。
図２０、２１は実施の形態３を示す図で、図２０は壁掛け形空気調和機の室内機の断面図、図２１は壁掛け形空気調和機の室内機の正面図である。
【００４１】
壁掛け形の空気調和機室内機４０は、吸込口４１の下流に熱交換器４２と、空気の流れを生じさせる送風機４３と、吹出口４４とからなる空気の通風路内の何処かに空気清浄器１が配置されればよいが、図２０では、熱交換器４２の上流側の前面上部に配置した例を示している。この場合は、熱交換器４２以降の部品に浮遊粉塵量の少ない空気が送られるので、それらの部品に浮遊粉塵が付着することを抑制することができる。また、空気清浄器１は熱交換器４２の上流側の前面下部や背面に配置しても同様の効果を奏する。
【００４２】
図２１において、高電圧電源部４５が示されているが、この高電圧電源部４５の端子部品に、接地電極５に取り付けられた端子７が接触する。
【００４３】
次に動作について説明する。
以上のように、壁掛け形の空気調和機室内機４０に実施の形態１の空気清浄器１を配置するようにしているので、吸込口４１から流入した室内空気は、空気清浄器１を通過することで室内の浮遊粉塵を除去することが可能になるため、熱交換器４２により室内空気を加熱または冷却し室内へ吹出し、室内の温湿度を調整する壁掛け形空気調和機の基本機能に加え、室内の粉塵を除去する壁掛け形空気調和機を得ることができる。
【００４４】
実施の形態４．
上記実施の形態１の空気清浄器１を天井カセット形空気調和機に組み込む実施の形態を説明する。
図２２は実施の形態４を示す図で、天井カセット形空気調和機の室内機の断面図である。
図に示すように、実施の形態１の空気清浄器１を熱交換器４２の上流側に配置している。但し、実施の形態３と同様、吸込口４１の下流に熱交換器４２と、空気の流れを生じさせる送風機４３と、吹出口４４とからなる空気の通風路内の何処かに空気清浄器１が配置されればよい。
【００４５】
以上のように、天井カセット形の空気調和機室内機４０に実施の形態１の空気清浄器１を配置するようにしているので、吸込口４１から流入した室内空気は、空気清浄器１を通過することで室内の浮遊粉塵を除去することが可能になるため、熱交換器４２により室内空気を加熱または冷却し室内へ吹出し、室内の温湿度を調整する天井カセット形空気調和機の基本機能に加え、室内の粉塵を除去する天井カセット形空気調和機を得ることができる。
【００４６】
実施の形態５．
上記実施の形態１の空気清浄器１を床置形空気調和機に組み込む実施の形態を説明する。
図２３は実施の形態５を示す図で、床置形空気調和機の室内機の断面図である。
図に示すように、実施の形態１の空気清浄器１を送風機４３の上流側に配置している。但し、実施の形態３と同様、吸込口４１の下流に熱交換器４２と、空気の流れを生じさせる送風機４３と、吹出口４４とからなる空気の通風路内の何処かに空気清浄器１が配置されればよい。
【００４７】
以上のように、床置形の空気調和機室内機４０に実施の形態１の空気清浄器１を配置するようにしているので、吸込口４１から流入した室内空気は、空気清浄器１を通過することで室内の浮遊粉塵を除去することが可能になるため、熱交換器４２により室内空気を加熱または冷却し室内へ吹出し、室内の温湿度を調整する床置形空気調和機の基本機能に加え、室内の粉塵を除去する床置形空気調和機を得ることができる。
【００４８】
また、電車用空気調和機、車用空気調和機、エレベータ用空気調和機等ある空間の温湿度を調整する空気調和機に実施の形態１の空気清浄器１を取り入れることで、室内の温湿度を調整する各空気調和機の基本機能に加え、室内の粉塵を除去する機能を付加することができる。
【図面の簡単な説明】
【００４９】
【図１】実施の形態１を示す図で、プレフィルタを閉じた状態の空気清浄器の斜視図である。
【図２】実施の形態１を示す図で、プレフィルタを開いた状態の空気清浄器の斜視図である。
【図３】実施の形態１を示す図で、空気清浄器の分解斜視図である。
【図４】実施の形態１を示す図で、プレフィルタの正面図である。
【図５】実施の形態１を示す図で、枠の正面図である。
【図６】実施の形態１を示す図で、枠の背面斜視図である。
【図７】実施の形態１を示す図で、枠の側面断面図である。
【図８】実施の形態１を示す図で、放電電極の正面図である。
【図９】実施の形態１を示す図で、枠に放電電極を取り付けた状態の背面斜視図である。
【図１０】実施の形態１を示す図で、枠に放電電極を取り付けた状態の背面斜視図である。
【図１１】実施の形態１を示す図で、枠に放電電極を取り付けた状態の側面断面図である。
【図１２】実施の形態１を示す図で、接地電極の正面図である。
【図１３】実施の形態１を示す図で、枠に接地電極を取り付けた状態の側面断面図である。
【図１４】実施の形態１を示す図で、半絶縁樹脂の正面図である。
【図１５】実施の形態１を示す図で、枠に放電電極及び半絶縁樹脂を取り付けた状態の側面断面図である。
【図１６】実施の形態１を示す図で、枠に放電電極及び接地電極及び半絶縁樹脂を取り付けた状態の側面断面図である。
【図１７】実施の形態１を示す図で、空気清浄器の原理図である。
【図１８】実施の形態１を示す図で、プレフィルタの枠への固定方法を示す斜視図である。
【図１９】実施の形態２を示す図で、空気清浄装置の断面図である。
【図２０】実施の形態３を示す図で、壁掛け形空気調和機の室内機の断面図である。
【図２１】実施の形態３を示す図で、壁掛け形空気調和機の室内機の正面図である。
【図２２】実施の形態４を示す図で、天井カセット形空気調和機の室内機の断面図である。
【図２３】実施の形態５を示す図で、床置形空気調和機の室内機の断面図である。
【符号の説明】
【００５０】
１  空気清浄器、２  プレフィルタ、３  枠、３ｂ  凹部、４  放電電極、５  接地電極、６  半絶縁樹脂、６ａ  リブ、７  端子、１０  帯電部、１１  集塵部、２０ａ，２０ｂ，２０ｃ  凹部、２１  リブ、２２ａ，２２ｂ  突起、２３ａ，２３ｂ  突起、２４ａ，２４ｂ  突起部、３０  箱体、３１  吸込口、３２  吹出口、３３  通風路、４０  空気調和機室内機、４１  吸込口、４２  熱交換器、４３  送風機、４４  吹出口、４５  高電圧電源部、５１  帯電部の接地電極、５２  集塵部の接地電極。
【図１】
2006046725.tif 000003
【図２】
2006046725.tif 000004
【図３】
2006046725.tif 000005
【図４】
2006046725.tif 000006
【図５】
2006046725.tif 000007
【図６】
2006046725.tif 000008
【図７】
2006046725.tif 000009
【図８】
2006046725.tif 000010
【図９】
2006046725.tif 000011
【図１０】
2006046725.tif 000012
【図１１】
2006046725.tif 000013
【図１２】
2006046725.tif 000014
【図１３】
2006046725.tif 000015
【図１４】
2006046725.tif 000016
【図１５】
2006046725.tif 000017
【図１６】
2006046725.tif 000018
【図１７】
2006046725.tif 000019
【図１８】
2006046725.tif 000020
【図１９】
2006046725.tif 000021
【図２０】
2006046725.tif 000022
【図２１】
2006046725.tif 000023
【図２２】
2006046725.tif 000024
【図２３】
2006046725.tif 000025